(57)【要約】【課題】侵入者の存在を検知して防犯のために光、音声を出力するシステムと、家人の帰宅を検知して照明のために光を出力するシステムとを兼用する照明警報兼用装置を提供する。【解決手段】人感センサ６で侵入者の存在を検知したときに、スピーカ７で警報のための音声を出力し、ライト８で警報あるいは威嚇のための光を点灯するモードを第１のモードとし、人感センサ６で帰宅した家人の存在を検知したときに、ライト８が照明のための光を点灯するモードを第２のモードとし、人感センサ６で侵入者の存在を検知したときに、スピーカ７で警報のための音声を出力する（ライト８は発光しない）モードを第３のモードとする。使用者が入力部５を用いてモード選択をし、制御部３が選択されたモードを実行する。スピーカ７、ライト８の電力はソーラーパネル２による太陽光発電で供給される。【選択図】図１
2009128961.tif 000002
【特許請求の範囲】
【請求項１】
太陽光により発電する太陽光発電部と、
その太陽光発電部で発電された電力を蓄える蓄電部と、
前記蓄電部に蓄えられた電力により光を出力する光出力部と、
前記蓄電部に蓄えられた電力により音声を出力する音声出力部と、
人の存在を検出するセンサと、
前記センサが人の存在を検出したときに、前記光出力部から警報のための光を出力し、前記音声出力部から警報のための音声を出力するモードを第１のモードとし、
前記音声出力部における音声出力の機能を停止し、前記センサが人の存在を検出したときに、前記光出力部から照明のための光を出力するモードを第２のモードとし、
使用者が前記第１のモードと第２のモードとのうち一方を選択する入力を行う入力部と、
前記入力部に入力されたモードを実行する実行手段とをさらに備えたことを特徴とする照明警報兼用装置。
【請求項２】
前記光出力部における光出力の機能を停止し、前記センサが人の存在を検出したときに、前記音声出力部から警報のための音声を出力するモードを第３のモードとし、
前記入力部には、使用者からの前記第１のモードと前記第２のモードと前記第３のモードとのうちひとつを選択する入力が行われる請求項１に記載の照明警報兼用装置。
【発明の詳細な説明】
【技術分野】
【０００１】
本発明は、照明警報兼用装置に関する。
【背景技術】
【０００２】
今日、防犯意識の高まりのなかで、不法な侵入者の存在を検知して警報音などを発する一般家庭用のセキュリティーシステムが各種提案されており、これを購入する家庭が増加している。それに伴なって、性能の向上を図った多様なセキュリティーシステムが提案されてきている。
【０００３】
例えば下記特許１では、太陽電池によって電気エネルギーを生成して、これをセキュリティーシステムに供給する技術が開示されている。これにより外部電源工事が不要なので、その分の経費がかからず、さらに設置場所がより自由に設定できることが主張されている。
【０００４】
【特許文献１】特開平１１−１９１１８７号公報
【発明の開示】
【発明が解決しようとする課題】
【０００５】
セキュリティーシステムにおける利便性の向上に関しては、太陽電池の使用といった電源関係の事柄のみではなく、ほかの目的との兼用が考えられる。例えばセキュリティーシステムにおいては、侵入者を検知したときに、警報音を用いるだけでなく警報や威嚇などの目的で光を侵入者に向けて発するシステムがある。一方で、家人の帰宅を検知して門付近の照明を点灯する一般家庭用の照明システムがある。
【０００６】
両システムはともに発光に関するシステムであり、兼用すれば利便性が向上するが、そのような兼用システムは上記特許文献１を含めてこれまで提案されてこなかった。
【０００７】
そこで本発明が解決しようとする課題は、上記問題点に鑑み、侵入者の存在を検知して防犯のために光、音声を出力するシステムと、家人の帰宅を検知して照明のために光を出力するシステムとを兼用する照明警報兼用装置を提供することにある。
【課題を解決するための手段及び発明の効果】
【０００８】
上記課題を達成するために、本発明に係る照明警報兼用装置は、太陽光により発電する太陽光発電部と、その太陽光発電部で発電された電力を蓄える蓄電部と、前記蓄電部に蓄えられた電力により光を出力する光出力部と、前記蓄電部に蓄えられた電力により音声を出力する音声出力部と、人の存在を検出するセンサと前記センサが人の存在を検出したときに、前記光出力部から警報のための光を出力し、前記音声出力部から警報のための音声を出力するモードを第１のモードとし、前記音声出力部における音声出力の機能を停止し、前記センサが人の存在を検出したときに、前記光出力部から照明のための光を出力するモードを第２のモードとし、使用者が前記第１のモードと第２のモードとのうち一方を選択する入力を行う入力部と、前記入力部に入力されたモードを実行する実行手段とをさらに備えたことを特徴とする。
【０００９】
これにより本発明に係る照明警報兼用装置では、センサが人の存在を検出したときに、光出力部から警報のための光を出力し、音声出力部から警報のための音声を出力するモードを第１のモードとし、音声出力部における音声出力の機能を停止し、センサが人の存在を検出したときに、光出力部から照明のための光を出力するモードを第２のモードとして、入力部により両モードを使用者が選択できるので、警報の機能と照明の機能とを兼用した低コストのシステムが実現できる。さらに本装置へは太陽光発電部により太陽光を用いた発電によって得た電力を蓄電部に蓄えて、その電力を供給するので外部から電力を供給しなくてもよいシステムである。したがって電力供給の必要がなく、警報の機能と照明の機能とを兼用した低コストのシステムが実現できる。
【００１０】
前記光出力部における光出力の機能を停止し、前記センサが人の存在を検出したときに、前記音声出力部から警報のための音声を出力するモードを第３のモードとし、前記入力部には、使用者からの前記第１のモードと前記第２のモードと前記第３のモードとのうちひとつを選択する入力が行われるとすればよい。
【００１１】
これにより、光出力部における光出力の機能を停止し、センサが人の存在を検出したときに、音声出力部から警報のための音声を出力するモードを第３のモードとして、第１、２、３のモードのうちから使用者はモード選択するので、警報のモードにおいて光と音声との両出力を用いる場合と音声のみの出力を用いる場合とから選択することができる。したがって省電力を優先したいときには音声出力のみの警報を選択でき、電力が十分にある場合は光と音声との両出力による警報を選択できる。このように省電力の観点からの選択が可能な照明警報兼用装置が実現できる。
【発明を実施するための最良の形態】
【００１２】
以下、本発明の実施形態を図面を参照しつつ説明する。図１は、本発明に係る照明警報兼用装置の一実施形態の構成図である。
【００１３】
照明警報兼用装置１は、ソーラーパネル２、制御部３、蓄電部４、入力部５、人感センサ６、スピーカ７、ライト８を備える。ソーラーパネル２によって太陽光から発電をし、その電気エネルギーを蓄電部４（蓄電池）に蓄える。蓄電部４に蓄えられた電力によって照明警報兼用装置１は機能する。特に蓄電部４に蓄えられた電力が下記のスピーカ７、ライト８に供給されて、音声や光が出力される。
【００１４】
人感センサ６では、不法な侵入者や帰宅した家人などの存在を検出する。人感センサ６は例えば人体から出る熱放射を検出する赤外線方式とすればよい。人感センサ６は建物の入口や門の付近など所定の範囲における人体などを検出できるように配置すればよい。入力部５はボタンなどを有して、後述するように照明警報兼用装置１の動作モードを設定する入力などの入力を使用者から受け付ける。
【００１５】
また音声を出力するスピーカ７からは警報のための音声を出力し、ライト８からは警報、威嚇のための、あるいは照明のための光を出力する。スピーカ７やライト８は、建物の入口や門の付近など警報、威嚇、照明などの役目が果たせる位置に配置すればよい。ライト８は例えばＬＥＤとすれば電力消費が少ない点で好適である。警報のための音声は例えばブザー音とすればよい。
【００１６】
制御部３では、照明警報兼用装置１の以上あるいは以下で説明するすべての動作を制御する。制御部３は、各種情報処理や演算のためのＣＰＵ、その作業領域としてのＲＡＭ、記憶部としてのＲＯＭなどを備えた通常のマイクロプロセッサの構造を有するとすればよい。照明警報兼用装置１の配置位置としては例えば、制御部３、入力部５を含む本体部を室内に設置し、人感センサ６、スピーカ７、ライト８を上述のようにそれぞれの機能のために適した場所である建物の入口や門の付近などに設置し、ソーラーパネル２を太陽光を得るのに適した場所に設置すればよい。
【００１７】
照明警報兼用装置１の基本的な機能としては、警報機能と照明機能とがある。照明警報兼用装置１では警報機能と照明機能とによる複数の動作モードを予め設定しておき、このなかから使用者が入力部５を用いて望ましい動作モードを選択する。
【００１８】
具体的にはまず第１のモードは、警報機能のモードであり、人感センサ６で侵入者の存在を検知したときに、スピーカ７で警報のための音声を出力し、ライト８で警報あるいは威嚇のための光を点灯する。第２のモードは照明機能のモードであり、人感センサ６で帰宅した家人の存在を検知したときに、ライト８が照明のための光を点灯する。第２のモードにおいてはスピーカ７は切状態（オフ状態）とすればよい。
【００１９】
さらに第１のモードにおいてライト８を切状態としたモードを第３のモードとしてもよい。すなわち第３のモードにおいては、人感センサ６で侵入者の存在を検知したときに、スピーカ７で警報のための音声を出力する（ライト８は発光しない）。このように入力部５によってモード選択を行うので、警報機能と照明機能とを兼用した低コストで利便性の高いシステムが構築される。それぞれのモードの実行プログラムを上述の制御部３内のＲＯＭに格納しておき、使用者が入力部５を用いてモード選択をすることにより、制御部３のＣＰＵが選択されたモードに対応する実行プログラムを実行するとすればよい。
【００２０】
入力部５は遠隔操作（リモートコントロール、リモコン）によって使用者が入力を行える構造としてもよい。これにより、家人がリモコンを所持していれば、帰宅の際に家の外から警報モード（上記第１、３のモード）から照明モード（第２のモード）にモード切替ができる。さらに例えば自動車で帰宅した際などには車の中からモード切替えができる。このようにリモコンの使用により本発明はさらに利便性が高いシステムとなる。
【００２１】
また一般に照明モードよりも警報モードの方が重要度が高いとみなされる場合が多いといえる。よって本発明では、制御部３に時計機能を備えて、ある所定時間以上照明モード（上記第２のモード）が続いたら、制御部３が自動的に警報モード（第１，３のモード）に切替えるとしてもよい。これにより、警報モードに戻し忘れた際に自動的に戻る信頼性の高いシステムとなる。
【００２２】
また制御部３に時計機能を備えて昼間か夜間かを判定できるようにして、昼間はライト８を常に切状態としてもよい。これによりライト８の無駄な点灯、及びそれによる電力の無駄な消費が回避できる。なお時計機能でなく照度センサを備えて、それにより昼間か夜間かを判定してもよい。
【００２３】
晴天の日が続くとは限らないので、蓄電池４に蓄えられた限られた電力を有効に利用して警報、照明の機能を果たすために、機能に優先順位をつけて一部の機能を停止するとしてもよい。例えば、より重要な警報モードの優先順位を照明モードの優先順位より高くしておく。そして蓄電池４に蓄えられた電力が所定の閾値よりも小さい場合には、優先順位の低い機能を実行しないこととすればよい。
【００２４】
さらに警報モードのなかでも音声出力と光出力との間で優先順位をつけるとしてもよい。具体的には例えば、音声出力による警報モードを優先順位の第１位、光出力による警報モードを優先順位の第２位、照明モードを優先順位の第３位といったかたちで設定する。そして蓄電池４に蓄えられた電力が所定の閾値よりも小さい場合に、優先順位の低い機能を実行しないこととする。ここで優先順位の低い機能は、例えば第３位のみでもよいし、第２位と第３位との両方でもよい。
【００２５】
さらに上記のように優先順位を第３位まで設定した場合に、蓄電池４に蓄えられた電力に対する閾値を２つ設定してもよい。そして蓄電池４に蓄えられた電力が小さい方の閾値よりも小さい場合は、優先順位第２、３位の機能は実行せず、蓄電池４に蓄えられた電力が小さい方の閾値よりも大きく、かつ大きい方の閾値よりも小さい場合は、優先順位第３位の機能は実行しないとしてもよい。
【００２６】
なおここで照明モードを実行しないとは、使用者が照明モード（上記第２のモード）を選択しても、照明モードには切り替えずに警報モード（第１、３のモード）を継続することを意味するとすればよい。また光出力による警報モード（第１、３のモード）を実行しないとは、使用者が第１のモードを選択していて人感センサ６が侵入者を検知しても、ライト８は光を出力せず、スピーカ７から音声が出力されるのみであることを意味するとすればよい。音声出力による警報モード（第１、３のモード）を実行しないとは、使用者が第１、３のモードを選択していて人感センサ６が侵入者を検知しても、スピーカ７は音声を出力せず、ライト８から光のみが出力されることととすればよい。
【００２７】
このように優先順位をつけることで、限られた電力を有効利用することができる。本発明は太陽光発電を用いるので電力を無制限に使用してもよいとはかぎらないのだから、このような優先順位の設定は意義が大きい。制御部３のＲＯＭなどの記憶部を優先順位記憶部として用いて優先順位を記憶しておき、制御部３によって蓄電部４に蓄えられた電力と優先順位とにしたがって上で述べた一部機能の停止をおこなうとすればよい。
【００２８】
なお優先順位は上で述べたものでなくともよく、音声出力による警報モード、光出力による警報モード、照明モードに対して任意に優先順位をつければよい。さらに入力部５によって使用者の望む優先順位を入力できるようにしてもよい。
【００２９】
また優先順位は、音声出力と光出力との間につけるとしてもよい。例えば音声出力の優先順位を第１位、光出力の優先順位を第２位といったかたちにする。音声出力の優先順位を第２位、光出力の優先順位を第１位としてもよい。この場合、音声出力の機能を停止するとは、上記第１、３のモードにおいてスピーカ７からの音声出力を行わないことを意味する。また光出力の機能を停止するとは、上記第１、２のモードにおいてライト８からの光出力を行わないことを意味する。
【００３０】
さらに蓄電池４に蓄えられた電力が小さいほど、音声出力における音量、あるいは光出力における光量をより小さくするように制御部３が調節するシステムとしてもよい。さらにこうした音量、光量の調節は上記優先順位の設定と併用して行ってもよい。これによって、蓄えられた電力量にさらにきめ細かく適応するシステムが実現できる。
【００３１】
また上では制御部３により自動的に一部の機能を実行しないこととしたが、使用者の入力によってこれを行うシステムとしてもよい。すなわち例えば、上記の本体部に表示部を設けておき、この表示部に蓄電部４に蓄えられた電力量を表示する。そしてこの電力量を見て、使用者が機能のうち一部を機能させないように入力部５により入力するとすればよい。これにより使用者の要望に応じて機能を選択できるシステムが構築できる。
【００３２】
以上の実施例において、ソーラーパネル２が太陽光発電部を構成する。制御部３が実行手段を構成する。人感センサ６がセンサを構成する。スピーカ７が音声出力部を構成する。ライト８が光出力部を構成する。
【図面の簡単な説明】
【００３３】
【図１】本発明の照明警報兼用装置の構成図。
【符号の説明】
【００３４】
１    照明警報兼用装置
２    ソーラーパネル（太陽光発電部）
３    制御部（実行手段）
４    蓄電部（蓄電池）
５    入力部
６    人感センサ（センサ）
７    スピーカ（音声出力部）
８    ライト（光出力部）
【図１】
2009128961.tif 000003